(57)【要約】【課題】下位装置から上位装置へ送信される保守監視信号のうち、ある条件が発生した場合に送信される変化報告信号はその条件が発生している間、送信され続け、他の保守監視信号や別の条件への変化報告信号の送信が阻害される。【解決手段】所定の条件の発生をカウンタでカウントし、その発生回数が所定閾値を超えるごとに１回だけ該報告信号を送信すると共に、タイマで一定の時間を管理し、この一定時間経過後に条件の発生があると上記変化報告信号を送信する。これによって、変化報告信号が短時間に多発する場合のみ、該信号の送信を制御でき他の保守監視信号の送信を阻害しない。【選択図】　　　図１
2004064317.tif 000002
【特許請求の範囲】
【請求項１】
下位装置から上位装置へ報告信号を送信する方法であって、下位装置において所定条件の発生を検知し、該条件の発生回数が所定の閾値を超えた場合に報告信号を上位装置へ送信し、かつ前記条件の発生から所定時間経過後に該条件が発生すると報告信号を上位装置へ送信することを特徴とする信号送信方法。
【請求項２】
前記報告信号の送信を行うごとに、前記条件発生回数の計測を初期設定し前記所定時間の計測を開始する請求項１記載の信号送信方法。
【請求項３】
前記条件が最初に発生したとき報告信号を送信する請求項１または２記載の信号送信方法。
【請求項４】
所定条件の発生を報告する信号送信装置であって、
該条件の発生回数をカウントするカウンタと、
該カウンタのカウント回数が該カウンタに設定された所定の閾値を超えたとき報告信号を送信する送信部と、
前記報告信号の送信を制御する制御部と、
タイマ発行信号を受けて起動しタイムアウトすると前記カウンタを閾値までカウントされた状態に設定するタイマ、
を備えることを特徴とする信号送信装置。
【請求項５】
所定条件の発生を報告する信号送信装置であって、
該条件の発生回数をカウントするカウンタと、
該カウンタのカウント回数が該カウンタに設定された所定の閾値を超えたとき報告信号を送信する送信部と、
タイマ発行信号を受けて起動するタイマと、
前記報告信号の送信を制御する制御部とを備え、
該制御部はタイマからタイムアウトの通報を受け、前記カウンタを閾値までカウントされた状態に設定する、
ことを特徴とする信号送信装置。
【請求項６】
所定の条件の発生を検知する条件発生検知部を備える請求項４または５記載の信号送信装置。
【請求項７】
前記カウンタは閾値から順にゼロまでカウントダウンするカウンタである請求項４ないし６記載の信号送信装置。
【請求項８】
前記カウンタはゼロから順に閾値までカウントアップするカウンタである請求項４ないし６記載の信号送信装置。
【発明の詳細な説明】
【０００１】
【発明の属する技術分野】
本発明は、保守監視信号の送信方法に関し、例えばＴＤＭＡ方式移動体通信システムにおける基地局装置の保守監視信号の送信方法に関する。
【０００２】
【従来の技術】
例えば、ＴＤＭＡ方式移動体通信システムにおける基地局では、パケット用基地局変復調装置（ＰＭＤＥ）などの下位装置から、パケット処理モジュール（ＰＰＭ）などの上位装置へ保守監視信号が送信される。この保守監視信号には、ある条件が発生した場合に送信される変化報告信号と、指定された時間間隔で定期的に送信される定期報告信号と、上位装置からの要求に対する応答として送信される応答信号がある。
【０００３】
【発明が解決しようとする課題】
上記信号のうち変化報告信号は、ある条件が満たされている間、または該条件が多発している間は大量に送信され続け、送信バッファを占有してしまう。このため他の保守監視信号が送信不可能になる場合がある。例えば、状態変化Ａによる変化報告信号Ａを送信中に、下位装置に状態変化Ｂが起きた場合、その事態を上位装置へ報告する変化報告信号Ｂが送信できず、上位装置と下位装置の間で状態認識の不一致が発生してしまう。あるいは変化報告信号送信中に上位装置から下位装置へ指令信号を送信した場合、下位装置はその指令信号に対する応答信号を送信できず、上位装置はその指令信号を再送信してしまうことがある。また変化報告信号送信中に、定期報告信号の送信が出来なくなってしまう。
【０００４】
本発明の目的は、多量に送信される変化報告信号の送信を制限することによって、該信号による送信バッファの占有を防ぎ、他の保守監視系信号の送信や状態変化が起きたときの新たな変化報告信号の送信を正常に行い、上位装置と下位装置の間での状態不一致や、指令に対する応答不可を防止することである。
【０００５】
【課題を解決するための手段】
上記目的を達成する為、本発明の信号送信方法は、下位装置から上位装置へ報告信号を送信する方法であって、下位装置において所定条件の発生を検知し、該条件の発生回数が所定の閾値を超えた場合に報告信号を上位装置へ送信し、かつ前記条件の発生から所定時間経過後に該条件が発生すると報告信号を上位装置へ送信する。上記方法では、報告信号の送信を行うごとに、条件発生回数の計測を初期設定し所定時間の計測を開始することが望ましい。また条件が最初に発生したとき報告信号を送信することができる。
【０００６】
本発明の信号送信装置は、所定条件の発生回数をカウントするカウンタと、該カウンタのカウント回数が該カウンタに設定された所定の閾値を超えたとき報告信号を送信する送信部と、報告信号の送信を制御する制御部と、タイマ発行信号を受けて起動しタイムアウトすると上記カウンタを閾値までカウントされた状態に設定するタイマとを備える。本発明の別の信号送信装置は、所定条件の発生回数をカウントするカウンタと、カウンタのカウント回数が該カウンタに設定された所定の閾値を超えたとき報告信号を送信する送信部と、タイマ発行信号を受けて起動するタイマと、報告信号の送信を制御する制御部とを備え、該制御部はタイマからタイムアウトの通報を受け、カウンタを閾値までカウントされた状態に設定する。上記両信号送信装置は所定の条件の発生を検知する条件発生検知部を備えることができる。カウンタは閾値から順にゼロまでカウントダウンするカウンタ、またはゼロから順に閾値までカウントアップするカウンタが可能である。
【０００７】
上記本発明によって、変化報告信号の送信を制限し該信号による送信バッファの占有を防ぎ、上位装置と下位装置の間での状態不一致や、上位装置からの指令に対する応答不可を防止することができる。
【０００８】
【発明の実施の形態】
本発明の実施の形態について図面を参照して詳細に説明する。図１は本発明の信号送信装置の構成例を示すブロック図である。該信号送信装置は、所定の状態の発生件数をカウントするカウンタ４を備えている。該カウンタ４は所定の閾値が設定可能であり、閾値から順にゼロまでカウントダウンするカウンタまたはゼロから順に閾値までカウントアップするカウンタが可能である。信号送信装置はさらに、該カウンタのカウント回数が該カウンタに設定された所定の閾値を超えたとき状態変化の報告信号を送信する送信部５を備える。該信号送信装置にはさらにタイマ２が配置される。タイマ２はタイマ発行信号を受けて起動し、所定の設定時間経過後にタイムアウトする。また信号送信装置には上記カウンタ４、送信部５、およびタイマ２を制御する制御部１が配置される。制御部１は、例えばタイマの発行、カウンタ４への所定値（閾値またはゼロ）の設定、送信部５からの報告信号の送信などを制御する。
【０００９】
なお、タイマ２は上記信号送信装置の制御部１の制御から独立して、タイムアウト後独自にカウンタの設定をゼロ（または閾値）に設定することができる。上記信号送信装置は、所定の条件発生を検知し、報告信号を制御部１またはカウンタ４に送信する条件発生検知部３を備えることができる。条件発生検知部３は所定条件の発生のたびごとに報告信号を送信するが、該条件がある状態として継続する場合は、予め決められた時間間隔で報告信号の送信を繰り返す。
【００１０】
次に、本発明の信号送信方法について、図２、図３、図４を用いて説明する。図２は初期動作後に報告信号が送信されるフローの例を示す。なお図２〜４では、カウント処理はカウンタに設定された閾値がゼロまで減算される処理である。まず初期動作の後、所定の条件Ａの発生の有無が判定される。条件Ａが発生したと判定されると、次にカウンタの現在のカウント値が判断される。カウンタがゼロでなければ、カウント値を１だけ減算し、再び条件Ａの発生を判定する状態に戻る。カウンタがゼロの場合、状態変化を報告する信号が上位装置に送信され、カウンタにはカウント制限回数として所定の閾値が設定され、さらにタイマ発行が行われる。なおこれら３つの処理は同時に、または近接したタイミングで行われるが、図２に示した順で行われることは必ずしも必要ない。タイマ発行によりタイマが所定の時間計測を開始し、再び条件Ａの発生を判定する状態に戻る。
【００１１】
したがって上記フローにおいて、下位装置から上位装置への状態Ａ発生の報告信号は、状態Ａの発生が上記閾値の回数だけあった毎に１回送信される。このため、状態変化報告信号の大量発生により送信バッファが占有されることが防止される。なお、上記フローは、発生する条件Ａの状態が全て同一であり、また条件Ａを検知して多量に送信される信号が全て同一の内容であり、まびきを行っても問題がない場合に適用される。
【００１２】
図３はタイマ側の動作フローの例である。タイマはタイマ発行を受けてから所定の時間でタイムアウトするように設定されている。タイマがタイムアウトすると、タイマは、条件Ａ発生のカウント処理とは独立にカウンタをゼロに設定する。このため、次に条件Ａの発生があったときは、図２のフローに示されたように、報告信号が送付され、カウント閾値の設定、タイマの発行が行われる。すなわち、もし条件Ａの発生が少ない場合、上記カウント処理では閾値の回数を超えて条件Ａの発生が起きないと報告信号が長時間送信されない。しかしこのタイマ処理によって、所定時間経過ごとに次に条件Ａの発生があると、上位装置に報告信号が送付される。すなわち、上述の図２、図３のフローを組み合わせると、条件Ａが短時間の間に多発している場合のみ、報告信号の制限を行うことができる。
【００１３】
図４は、上記信号送信方法を立ち上げる際の初期動作フローの例を示す。このシステムが立ち上がるとき、最初にカウンタにゼロ（または閾値）が設定される。この後条件Ａの発生の有無が判定される。条件Ａが発生したと判定されると、上述のように状態変化を報告する信号が上位装置に送信され、カウンタには所定の制限回数（閾値）が設定され、さらにタイマ発行が行われる。この後、図２のような通常の動作フローが続く。この初期動作は、最初の条件発生を報告することができ、立ち上げ後条件Ａの発生が非常に少なく、なかなか報告信号の送信が可能とならない場合に有効である。
【００１４】
【発明の効果】
本発明では、下位装置から上位装置への状態変化報告信号を送信する場合、上述のように所定条件の発生をカウンタとタイマにて制御することによって、短時間に状態の変化が多発する場合にのみ報告信号の送信を制限できる。このため、大量の報告信号によって送信バッファが占有され、他の保守監視信号や別の状態変化報告信号の送信が阻害されることがない。
【図面の簡単な説明】
【図１】本発明の信号送信装置の一例を示すブロック図。
【図２】本発明の信号送信方法のフローの一例を示すフローチャート。
【図３】本発明の信号送信方法においてタイマのフローの一例を示すフローチャート。
【図４】本発明の信号送信方法において立ち上げ時のフローの一例を示すフローチャート。
【符号の説明】
１　　制御部
２　　タイマ
３　　条件発生検知部
４　　カウンタ
５　　送信部
【図１】
2004064317.tif 000003
【図２】
2004064317.tif 000004
【図３】
2004064317.tif 000005
【図４】
2004064317.tif 000006